(57)【要約】【課題】薄い表示板であっても、まっすぐに培土に差し込みでき、確実に、表示板の差し込み部を差し込み溝に差し入れることができる表示育苗ポットを提供する。【解決手段】底部１０１と、底部１０１から徐々に外側に広がるように立ち上がる側壁部１０２と、側壁部１０２の端縁１０２ａに形成された開口部１０３と、底部１０１及び側壁部１０２で囲まれた収容空間１０４と、を備えた育苗ポットであって、側壁部１０２の一部に、側壁部端縁１０２ａから下方に伸び、かつ、側壁部１０２に対して、収容空間１０４の内外方向に所定幅張り出した張り出し部１０５が設けられ、段部１０５ｂには、表示板の差し込み部を差し込むための差し込み溝１０６が設けられ、張り出し部側壁１０５ａには、差し込み部を差し込み溝１０６に差し込む際に差し込み部を屈曲させながら差し込むためのガイドとなるガイド形状部１０７が設けられている。【選択図】図１
2016036287.tif 000002
【特許請求の範囲】
【請求項１】
底部と、前記底部から立ち上がる側壁部と、前記側壁部の端縁に形成された開口部と、前記底部及び前記側壁部で囲まれ、培土及び苗を収容するための収容空間と、を備え、かつ、表示板を差し込み可能に構成した表示育苗ポットであって、
前記側壁部には、前記収容空間の内外方向にせり出した段部が設けられ、
前記段部には、表示板の差し込み部を差し込むための差し込み溝が設けられ、
前記側壁部には、前記側壁部のうち前記段部よりも上方部分の少なくとも一部を前記収容空間の内外方向に凹ませることによって形成された、前記側壁部に沿って上方へ延びるガイド形状部であって、前記表示板の差し込み部を前記差し込み溝に差し込む際に前記差し込み部を屈曲させながら差し込むためのガイドとなるガイド形状部が設けられている、
ことを特徴とする表示育苗ポット。
【請求項２】
前記ガイド形状部は、前記側壁部を前記収容空間内へ向けて凹ませることにより、前記収容空間側へ突出する形状とした、
ことを特徴とする請求項１に記載の表示育苗ポット。
【請求項３】
前記ガイド形状部は、円弧状である、
ことを特徴とする請求項１又は２に記載の表示育苗ポット。
【請求項４】
前記ガイド形状部は、前記段部近傍から上方へ延びている、
ことを特徴とする請求項１から３のいずれか１項に記載の表示育苗ポット。
【請求項５】
前記ガイド形状部は、前記側壁部端縁近傍まで延びている、
ことを特徴とする請求項１から４のいずれか１項に記載の表示育苗ポット。
【請求項６】
底部と、前記底部から立ち上がる側壁部と、前記側壁部の端縁に形成された開口部と、前記底部及び前記側壁部で囲まれ培土及び苗を収容するための収容空間と、を備え、かつ、表示板を差し込み可能に構成した育苗ポットであって、
前記側壁部の一部に、前記側壁部端縁から下方に伸び、かつ、前記側壁部に対して、前記収容空間の内外方向に所定幅張り出した張り出し部が設けられ、
前記張り出し部は、張り出し部側壁と、前記張り出し部側壁と連続し前記張り出し部の下端となる段部と、を有し、
前記段部には、表示板の差し込み部を差し込むための差し込み溝が設けられ、
前記張り出し部側壁には、前記張り出し部側壁の幅方向における中央部分を前記収容空間の内外方向に凹ませることによって形成された、前記張り出し部側壁に沿って上方へ延びるガイド形状部であって、前記表示板の差し込み部を前記差し込み溝に差し込む際に前記差し込み部を屈曲させながら差し込むためのガイドとなるガイド形状部が設けられている、
ことを特徴とする表示育苗ポット。
【請求項７】
当該表示育苗ポットは、前記開口部側から見た形状が四角形状であり、その４辺となる側壁部が交わって形成される当該表示育苗ポットの角部分が、前記角部分を形成する側壁部に対して前記収容空間から外側に向けて膨れる膨出部となっていることを特徴とする請求項６に記載の表示育苗ポット。
【発明の詳細な説明】
【技術分野】
【０００１】
本発明は、植物の植栽に用いられる育苗ポットであって、植栽される植物に関する情報を表示する表示板を設置可能な表示育苗ポットに関する。
【背景技術】
【０００２】
収容され植栽される植物に関する情報を表示することができる育苗ポットについては、特許文献１に記載されたものがある。
【０００３】
図１４は、本発明の背景技術となる特許文献１に記載された表示育苗ポットを示す図で、（ａ）はその基本実施例の外観斜視図、（ｂ）及び（ｃ）は（ａ）の使用態様を説明する要部内面図、（ｄ）は同文献に記載された他の実施例の外観斜視図である。
【０００４】
図１４（ａ）のポットＰ１は、底部１と、側壁２と、せり出し部４と、このせり出し部４の下方となる段部６と、このせり出し部４の側方内面で、側壁２に対して外へせり出した、左右一対の対向内面５と、段部６に設けられたスリット７とを備えている。
【０００５】
このポットＰ１は、上記のような構成により、図１４（ｂ）及び（ｃ）に示すように、表示ラベル８の先端部１０をせり出し部４の対向内面５に沿わせるように差し込むだけで、先端部１０が対向内面５にガイドされて、自然とスリット７に差し込まれるようになる、という効果を発揮する。
【先行技術文献】
【特許文献】
【０００６】
【特許文献１】特許第５１８９６８６号公報（図１、図７（Ａ）、（Ｄ）、図１８）
【発明の概要】
【発明が解決しようとする課題】
【０００７】
しかしながら、近年、省資源及び低コスト化の要請により、表示ラベル８がより薄くなる傾向にあり、その場合には、このポットＰ１に培土が充填された状態で、側壁２のせり出し部４に沿って先端部１０を差し入れようとしても、培土の抵抗により、先端部１０が屈曲して、うまく差し込めず、結局、対向内面５のガイド機能が発揮されないことが起き得るように思われた。
【０００８】
特許文献１には、図１４（ｄ）に示すように、底部１に対して垂直に立ち上がるような対向内面５を備えたせり出し部４を側壁２に備えたポットＰ１２も記載されているが、この場合も、図１４（ａ）のポットＰ１と同様な上記の問題を持っている、と思われた。
【０００９】
本発明は、上記課題を解決しようとするもので、薄い表示板であっても、まっすぐに培土に差し込みでき、確実に、表示板の差し込み部を差し込み溝に差し入れることができる表示育苗ポットを提供することを目的とする。
【課題を解決するための手段】
【００１０】
本発明の育苗ポットは、
底部と、前記底部から立ち上がる側壁部と、前記側壁部の端縁に形成された開口部と、前記底部及び前記側壁部で囲まれ、培土及び苗を収容するための収容空間と、を備え、かつ、表示板を差し込み可能に構成した表示育苗ポットであって、
前記側壁部には、前記収容空間の内外方向にせり出した段部が設けられ、
前記段部には、表示板の差し込み部を差し込むための差し込み溝が設けられ、
前記側壁部には、前記側壁部のうち前記段部よりも上方部分の少なくとも一部を前記収容空間の内外方向に凹ませることによって形成された、前記側壁部に沿って上方へ延びるガイド形状部であって、前記表示板の差し込み部を前記差し込み溝に差し込む際に前記差し込み部を屈曲させながら差し込むためのガイドとなるガイド形状部が設けられている、
ことを特徴としている。
【００１１】
上記構成により、たとえ表示板が薄く、そのため、そのまま培土に差し込もうとすると培土の圧力でまっすぐ差し込めない場合でも、差し込み部の形状を屈曲させ、その形状のままガイド形状部に沿って培土にまっすぐ差し込めるので、確実に、表示板の差し込み部を差し込み溝に差し込むことができる。
【００１２】
上記実施形態において、前記ガイド形状部は、前記側壁部を前記収容空間内へ向けて凹ませることにより、前記収容空間側へ突出する形状とすることが好ましい。
【００１３】
上記構成により、ガイド形状部が、収容空間から外側へ向けて突出した形状である場合と比較して、コンパクトな表示育苗ポットを提供することができる。
【００１４】
上記実施形態において、前記ガイド形状部は、円弧状であることが好ましい。
【００１５】
差し込み部を押圧して屈曲させる場合、差し込み部は曲面状に屈曲する場合が多い。そのため、ガイド形状部が円弧状であれば、その曲面状に屈曲した差し込み部を沿わせやすくなる。また、円弧状のガイド形状部であればエッジ部（折れ曲がった部分）が存在しないため、エッジ部において頻発する亀裂の発生を抑えることができる。
【００１６】
上記実施形態において、前記ガイド形状部は、前記段部近傍から上方へ延びていることが好ましい。
【００１７】
ガイド形状部が段部近傍から上方へ延びていることで、表示板の差し込み部を培土に差し込んだ後、その差し込み部を段部に設けられた差し込み溝近傍まで確実にガイドすることができる。
【００１８】
上記実施形態において、前記ガイド形状部は、前記側壁部端縁近傍まで延びていることが好ましい。
【００１９】
ガイド形状部が側壁部端縁近傍まで延びていることで、表示板の差し込み部を培土に差し込む際に、差し込み部を側壁部端縁近傍からガイド形状部に沿わせて差し込むことができるため、差し込み部をガイド形状部に沿わせやすくなる。
【００２０】
本発明の育苗ポットの他の実施形態は、
底部と、前記底部から立ち上がる側壁部と、前記側壁部の端縁に形成された開口部と、前記底部及び前記側壁部で囲まれ、培土及び苗を収容するための収容空間と、を備え、かつ、表示板を差し込み可能に構成した育苗ポットであって、
前記側壁部の一部に、前記側壁部端縁から下方に伸び、かつ、前記側壁部に対して、前記収容空間の内外方向に所定幅張り出した張り出し部が設けられ、
前記張り出し部は、張り出し部側壁と、前記張り出し部側壁と連続し前記張り出し部の下端となる段部と、を有し、
前記段部には、表示板の差し込み部を差し込むための差し込み溝が設けられ、
前記張り出し部側壁には、前記張り出し部側壁の幅方向における中央部分を前記収容空間の内外方向に凹ませることによって形成された、前記張り出し部側壁に沿って上方へ延びるガイド形状部であって、前記表示板の差し込み部を前記差し込み溝に差し込む際に前記差し込み部を屈曲させながら差し込むためのガイドとなるガイド形状部が設けられている、
ことを特徴としている。
【００２１】
上記構成により、たとえ表示板が薄く、そのため、そのまま培土に差し込もうとすると培土の圧力でまっすぐ差し込めない場合でも、差し込み部の形状を屈曲させ、その形状のままガイド形状部に沿って培土にまっすぐ差し込めるので、確実に、表示板の差し込み部を差し込み溝に差し込むことができる。
【００２２】
上記他の実施形態において、当該表示育苗ポットは、前記開口部側から見た形状が四角形状であり、その４辺となる側壁部が交わって形成される当該表示育苗ポットの角部分が、前記角部分を形成する側壁部に対して前記収容空間から外側に向けて膨れる膨出部となっていることが好ましい。
【００２３】
収容空間から外側に向けて膨れる膨出部を設けることにより、収容空間内に充填する培土の充填空間（充填量）を確保することができる。この膨出部は、特に、収容空間から外側に向けて張り出すような張り出し部を設けた場合に有用である。
【発明の効果】
【００２４】
本発明の表示育苗ポットでは、ガイド形状部が設けられているため、薄い表示板であっても、まっすぐに培土に差し込みでき、確実に、表示板の差し込み部を差し込み溝に差し入れることができる。
【図面の簡単な説明】
【００２５】
【図１】本発明の表示育苗ポットの一例を示すもので、（ａ）はその正面図、（ｂ）はその平面図、（ｃ）は下方から見た斜視図、（ｄ）は（ｂ）の１ｄ−１ｄ矢視断面図である。
【図２】図１の表示育苗ポットの使用態様を示す図であり、（ａ）は斜め上方から見た斜視図、（ｂ）は（ａ）の２ｂ−２ｂ矢視断面図、（ｃ）は（ａ）の２Ｃ部分の拡大図である。
【図３】本発明の表示育苗ポットの他の実施例を示すもので、（ａ）はその正面図、（ｂ）はその平面図である。
【図４】図３の表示育苗ポットの使用態様を示す斜め上方から見た斜視図である。
【図５】本発明の表示育苗ポットの他の実施例を示すもので、（ａ）はその正面図、（ｂ）はその平面図、（ｃ）は（ｂ）の５ｃ−５ｃ矢視断面図である。
【図６】本発明の表示育苗ポットの他の実施例を示すもので、（ａ）はその平面図、（ｂ）は下方から見た斜視図、（ｃ）は斜め上方から見た斜視図、（ｄ）は（ａ）の６ｄ−６ｄ矢視断面図である。
【図７】図６の表示育苗ポットの使用態様を示す図であり、（ａ）は斜め上方から見た斜視図であり、（ｂ）は（ａ）の７ｂ−７ｂ矢視断面図である。
【図８】本発明の表示育苗ポットの他の実施例を示すもので、（ａ）はその正面図、（ｂ）はその平面図、（ｃ）は下方から見た斜視図である。
【図９】本発明の表示育苗ポットの他の実施例を示すもので、（ａ）はその正面図、（ｂ）はその平面図である。
【図１０】本発明の表示育苗ポットの他の実施例を示すもので、（ａ）はその正面図、（ｂ）はその平面図、（ｃ）は下方から見た斜視図、（ｄ）は斜め上方から見た斜視図である。
【図１１】本発明の図１に示した表示育苗ポットを収納するための育苗トレイを示す図であり、（ａ）はその平面図、（ｂ）はその正面図、（ｃ）は斜め上方から見た斜視図である。
【図１２】図１１に示した育苗トレイの使用状態を示す図であり、（ａ）は斜め上方から見た斜視図、（ｂ）は（ａ）の１２ｂ−１２ｂ矢視断面図である。
【図１３】図１１に示した育苗トレイを縦４個・横６個（合計２４個）連結させた状態を示す図であり、（ａ）はその平面図、（ｂ）はその正面図である。
【図１４】本発明の背景技術となる表示育苗ポットを示す図で特許文献１に記載されたものであり、（ａ）はその基本実施例の外観斜視図、（ｂ）及び（ｃ）は（ａ）の使用態様を説明する要部内面図、（ｄ）は同文献に記載された他の実施例の外観斜視図である。
【発明を実施するための形態】
【００２６】
以下に、本発明の実施の形態について、図面を用いて説明する。
＜実施形態１＞
【００２７】
図１は、本発明の表示育苗ポット１００Ａの一例を示すもので、（ａ）はその正面図、（ｂ）はその平面図、（ｃ）は下方から見た斜視図、（ｄ）は（ｂ）の１ｄ−１ｄ矢視断面図である。図２は図１の表示育苗ポット１００Ａの使用態様を示す図で、（ａ）は斜め上方から見た斜視図であり、（ｂ）は（ａ）の２ｂ−２ｂ矢視断面図であり、（ｃ）は（ａ）の２Ｃ部分の拡大図である。
【００２８】
図１及び図２に示された表示育苗ポット１００Ａは、植物を一定程度まで植栽するためのもので、柔軟な合成樹脂シートから成形されている。表示育苗ポット１００Ａは、角形の外観を有しており（図２（ａ）参照）、底部１０１と、この底部１０１から徐々に外側に広がるように立ち上がる側壁部１０２と、その側壁部１０２の端縁１０２ａに形成された開口部１０３と、底部１０１及び側壁部１０２で囲まれ、培土及び苗を収容するための収容空間１０４と、を備えている。柔軟な合成樹脂シートの素材としては、ポリエチレンやポリプロピレン等が好適であるが、これらに限定されない。また、表示育苗ポット１００Ａは合成樹脂ペレットを成形時にシート状になるようにしたものであってもよい。
【００２９】
図１（ａ）及び図２（ａ）に示すように、表示育苗ポット１００Ａは、側壁部１０２の一部に、側壁部端縁１０２ａから下方に伸び、かつ、側壁部１０２に対して、収容空間１０４の内外方向に所定幅張り出した張り出し部１０５を備えている。なお、本願において「収容空間の内外方向」とは、収容空間１０４内へ向かう方向と、収容空間１０４外へ向かう方向（収容空間１０４から外側へ向かう方向）と、の両方を意味する。本実施形態では、図１（ａ）及び図２（ａ）に示すように、張り出し部１０５は、側壁部１０２に対して、収容空間１０４から外側に向けて張り出している。しかし、張り出し部１０５は、側壁部１０２に対して、収容空間１０４内に向けて張り出していてもよい。
【００３０】
図１（ａ）及び（ｄ）に示すように、張り出し部１０５は、張り出し部側壁１０５ａと、張り出し部側壁１０５ａの下端と連続し、張り出し部１０５の底壁を形成する段部１０５ｂと、を有しており、この張り出し部側壁１０５ａ及び段部１０５ｂは、側壁部１０２の一部を構成している。図１（ｂ）及び図２に示すように、段部１０５ｂには、表示板Ｘの差し込み部Ｘ１を受け入れる直線状の差し込み溝１０６が形成されている。
【００３１】
図１（ｂ）、（ｃ）及び図２（ａ）に示すように、表示育苗ポット１００Ａは、上記構成に加えて、張り出し部１０５の張り出し部側壁１０５ａの幅方向における中央部分に、差し込み部Ｘ１を差し込み溝１０６に差し込む際に差し込み部Ｘ１を屈曲させながら差し込むためのガイドとなる、ガイド形状部１０７を設けたことを特徴とする。
【００３２】
ガイド形状部１０７は、張り出し部側壁１０５ａの幅方向における中央部分を、この中央部分の両側部分よりも収容空間１０４内に向けて曲面状に凹ませることにより形成されている。つまり、ガイド形状部１０７の形状は、収容空間１０４側に突出した円弧形状となっている。このガイド形状部１０７は、その縦方向中心が、差し込み溝１０６の長手方向略中央を通るように形成されている。
【００３３】
図１（ｄ）及び図２（ａ）に示すように、円弧状のガイド形状部１０７は、段部１０５ｂ近傍から側壁部端縁１０２ａ近傍まで延びている。図１（ｄ）に示すように、ガイド形状部１０７の収容空間１０４内へ向けた凹み幅Ｌ１は、段部１０５ｂ近傍から側壁部端縁１０２ａ近傍に向かうにつれて次第に小さくなるよう構成されている。また、図２（ｃ）に示すように、円弧の弦の長さ（円弧の両端点間の距離）Ｌ２も、段部１０５ｂ近傍から側壁部端縁１０２ａ近傍に向かうにつれて次第に小さくなるよう構成されている。
【００３４】
なお、図２（ａ）に示すように、本実施形態における表示育苗ポット１００Ａの張り出し部１０５の両端部分１０５ｃは、側壁部１０２に対する段差が徐々に増えるように収容空間１０４から外側へ向けて円弧を描くようにして形成されている。したがって、張り出し部１０５の両端部分１０５ｃ内面には、図１４（先行技術）で説明したような対向内面５は形成されていない。
【００３５】
表示育苗ポット１００Ａは、上記構成を備えているので、表示板Ｘを差し込む際には、差し込み部Ｘ１を図２（ａ）及び（ｂ）に示すように、ガイド形状部１０７の形状に屈曲させ（具体的には、差し込み部Ｘ１の両側端を軽く指で挟んで押圧するとよい。）、ガイド形状部１０７に沿わせるようにして培土に差し込む。
【００３６】
本実施形態では、円弧状のガイド形状部１０７が、段部１０５ｂ近傍から側壁部端縁１０２ａ近傍まで延びているため、表示板Ｘの差し込み部Ｘ１を培土に差し込む際に、差し込み部Ｘ１を側壁部端縁１０２ａ近傍からガイド形状部１０７に沿わせて差し込むことができると共に、差し込み部Ｘ１を培土に差し込んだ後、その差し込み部Ｘ１を段部１０５ｂに設けられた差し込み溝１０６近傍まで確実にガイドすることができる。
【００３７】
こうして、たとえ表示板Ｘが薄く、そのため、そのまま培土に差し込もうとすると培土の圧力でまっすぐ差し込めない場合でも、差し込み部Ｘ１の形状を屈曲させることで、その形状のまま培土にまっすぐ差し込めるので、確実に、差し込み部Ｘ１を差し込み溝１０６近傍まで差し込むことができる。
【００３８】
したがって、この表示育苗ポット１００Ａによれば、薄い表示板Ｘであっても、まっすぐに培土に差し込みでき、確実に、差し込み部Ｘ１を差し込み溝１０６に差し込むことができる。
【００３９】
なお、上記では、表示育苗ポット１００Ａが柔らかい合成樹脂で成形されている例を説明したが、この発明の特徴は、ガイド形状部１０７にあり、その作用効果は、表示育苗ポットの素材が柔らかいものか、より硬度が高く、形状維持性の高いものかの素材の柔軟性に左右されないものである。よって、本発明の表示育苗ポットは、硬質の合成樹脂で成形されたものであってもよい。
【００４０】
＜実施形態２＞
図３は、本発明の表示育苗ポットの他の実施例（表示育苗ポット１００Ｂ）を示すもので、（ａ）はその正面図、（ｂ）はその平面図である。図４は、図３の表示育苗ポットの使用態様を示す斜め上方から見た斜視図である。なお、これより、既に説明した部分と同じ部分には、同じ符号を付して、重複説明を省略する。
【００４１】
表示育苗ポット１００Ｂは、図１の表示育苗ポット１００Ａに比べて、張り出し部１０５の両端部分１０５ｃの張り出しが、側壁部１０２に対して、収容空間１０４から外側に向けて明確な側面段差１０５ｃをもって形成されている点が異なっている（図３（ｂ）及び図４参照）。
【００４２】
この側面段差１０５ｃは、形状的には、図１４（ｄ）（先行技術）の対向内面５と似ている。しかし、この側面段差１０５ｃは、表示板Ｘの差し込み部Ｘ１をガイドする機能を全く持つものではない点で、図１４（ｄ）の対向内面５と異なっている。つまり、差し込み部Ｘ１をこの側面段差１０５ｃに沿うように差し込んでも、差し込み部Ｘ１の先端は、差し込み溝１０６に差し入れられず、段部１０５ｂの差し込み溝１０６の無い部分に突き当たるだけである。すなわち、本実施形態の張り出し部１０５の側面段差１０５ｃは、図１４に記載の対向内面５のように、差し込み部Ｘ１を差し込み溝１０６にガイドするような機能は有していない。
【００４３】
この表示育苗ポット１００Ｂにおいても、表示板Ｘの差し込み部Ｘ１の形状を屈曲させ、ガイド形状部１０７に沿わせるようにして差し込むことで、培土にまっすぐ差し込むことができ、確実に、差し込み部Ｘ１を差し込み溝１０６に差し入れることができる。
【００４４】
＜実施形態３＞
図５は、本発明の表示育苗ポットの他の実施例（表示育苗ポット１００Ｃ）を示すもので、（ａ）はその正面図、（ｂ）はその平面図、（ｃ）は（ｂ）の５ｃ−５ｃ矢視断面図である。
【００４５】
表示育苗ポット１００Ｃは、図１の表示育苗ポット１００Ａに比べて、張り出し部１０５の段部１０５ｂが収容空間１０４から外側に向かうほど下方に傾斜している点が異なる。
【００４６】
表示育苗ポットが特に軟質材料で構成されており、かつ、段部１０５ｂが収容空間１０４から外側に向かうほど下方へ傾斜していない場合において、その表示育苗ポットに培土を充填した際には、側壁部１０２のうち段部１０５ｂよりも下方に位置する部分が、充填された培土によって収容空間１０４から外側に向けて押し広げられる結果、段部１０５ｂの手前側（収容空間１０４に近い側）が、ガイド形状部１０７と同じ位置になるか、又は、ガイド形状部１０７よりも収容空間１０４から外側に向けてせり出すようになる。そのため、表示板Ｘを差し込んでも、差し込み部Ｘ１が段部１０５ｂに引っ掛かることがなくなり、差し込みが困難となる場合がある。
【００４７】
しかし、段部１０５ｂが収容空間１０４から外側に向かうほど下方に傾斜していることで、段部１０５ｂの手前側は必ずガイド形状部１０７に接触するため段部１０５ｂが残り、表示板Ｘの差し込み部Ｘ１を差し込んだ際には、差し込み部Ｘ１が段部１０５ｂに引っ掛かり、表示板Ｘの差し込みが可能となる。
【００４８】
この表示育苗ポット１００Ｃによれば、異なるのは段部１０５ｂだけであり、他の部分は、表示育苗ポット１００Ａと同じなので、その点の効果は、表示育苗ポット１００Ａと同じものである。
【００４９】
＜実施形態４＞
図６は、本発明の表示育苗ポットの他の実施例（表示育苗ポット１００Ｄ）を示すもので、（ａ）はその平面図、（ｂ）は下方から見た斜視図、（ｃ）は斜め上方から見た斜視図、（ｄ）は（ａ）の６ｄ−６ｄ矢視断面図である。図７は図６の表示育苗ポット１００Ｄの使用態様を示す図で、（ａ）は斜め上方から見た斜視図であり、（ｂ）は（ａ）の７ｂ−７ｂ矢視断面図である。
【００５０】
表示育苗ポット１００Ｄは、図１の表示育苗ポット１００Ａに比べて、ガイド形状部１０７が、張り出し部側壁１０５ａの幅方向における中央部分を、この中央部分の両側部分よりも収容空間１０４の外側へ向けて曲面状に凹ませることにより形成された、収容空間１０４から外側へ向けて突出する円弧形状となっている点で異なっている。
【００５１】
表示板Ｘを差し込む際には、図７（ｂ）に示すように、差し込み部Ｘ１をガイド形状部１０７の形状に屈曲させ、ガイド形状部１０７に沿わせて培土に差し込む。なお、この場合、差し込み部Ｘ１は図２（ｂ）とは逆向きに屈曲させることになる。
【００５２】
このように、ガイド形状部１０７は、収容空間１０４から外側へ向けて突出した形状であっても、表示板Ｘの差し込み部Ｘ１をガイドする機能を有している。そのため、表示板Ｘの差し込み部Ｘ１を培土に差し込んだ際に、差し込み部Ｘ１を差し込み溝１０６近傍にガイドし、差し込み部Ｘ１を確実に差し込み溝１０６に差し込むことができる。
【００５３】
この表示育苗ポット１００Ｄによれば、他の部分は、表示育苗ポット１００Ａと同じなので、その効果は、表示育苗ポット１００Ａと同じように発揮される。
【００５４】
＜実施形態５＞
図８は、本発明の表示育苗ポットの他の実施例（表示育苗ポット１００Ｅ）を示すもので、（ａ）はその正面図、（ｂ）はその平面図、（ｃ）は下方から見た斜視図である。
【００５５】
表示育苗ポット１００Ｅは、図１の表示育苗ポット１００Ａに比べて、張り出し部１０５の段部１０５ｂが収容空間１０４から外側に向かうほど下方に傾斜している点が異なっている。さらに、平面視（開口部１０３側から見た形状）で四角形状である側壁部１０２において（図８（ｂ）参照）、その４辺となる側壁部１０２が交わって形成される表示育苗ポット１００Ｅの角部分１０８が、その角部分１０８を形成する側壁部１０２に対して、収容空間１０４から外側に向けて膨れる膨出部１０８として形成されている点が異なっている。
【００５６】
傾斜した段部１０５ｂについては、図５の表示育苗ポット１００Ｃと同様の作用効果を発揮する。
【００５７】
また、膨出部１０８は、収容空間１０４内に充填する培土の量を確保するためのものである。すなわち、通常、表示育苗ポットの外形寸法（幅寸法及び奥行き寸法）は、表示育苗ポットを収納する育苗トレイの大きさ等との関係により、大きく変更することができない。したがって、本実施形態のように収容空間１０４から外側に向けて張り出した張り出し部１０５を設けた場合には、対向する張り出し部側壁１０５ａ間の寸法を、張り出し部１０５を設けていない場合の幅寸法及び奥行き寸法に合わせることになる。そのため、張り出し部１０５以外の側壁部１０２は、張り出し部１０５を設けない場合と比べて、側壁部端縁１０２ａに対して、収容空間１０４内へ移動することになる。それゆえ、その移動分だけ収容空間１０４の空間体積が小さくなり、培土の充填量も少なくなる。膨出部１０８は、収容空間１０４から外側に向けて張り出した張り出し部１０５を設けたことに伴う収容空間１０４の空間体積の減少を補い、培土を充填するための空間体積を確保するためのものである。
【００５８】
また、本実施形態のように収容空間１０４から外側に向けて張り出した張り出し部１０５を設けた場合には、上記の通り、張り出し部１０５以外の側壁部１０２は、側壁部端縁１０２ａに対して、収容空間１０４内へ移動することになり、それゆえ、底部１０１の面積も小さくなる。そのため、表示育苗ポットの安定性が悪くなり、表示育苗ポットが倒れやすくなることも考えられる。また、表示育苗ポットの底部の面積が小さくなる結果、表示育苗ポットが育苗トレイに収納された場合には、育苗トレイと表示育苗ポットとの間に隙間が空き、表示育苗ポットが、がたつきやすくなることも考えられる。しかし、膨出部１０８を設けることによって、表示育苗ポット１００Ｅの角部分（特に、底部１０１の角部分）が収容空間１０４から外側に向けて張り出したようになるので、それらの問題も解決することができる。
【００５９】
なお、膨出部１０８は、収容空間１０４から外側に向けて張り出した張り出し部１０５を設けた場合に限らず、単に充填する培土の量を増加させたい場合にも有効である。
【００６０】
この表示育苗ポット１００Ｅによれば、他の部分は、表示育苗ポット１００Ａと同じなので、その効果は、表示育苗ポット１００Ａと同じように発揮される。
【００６１】
＜実施形態６＞
図９は、本発明の表示育苗ポットの他の実施例（表示育苗ポット１００Ｆ）を示すもので、（ａ）はその正面図、（ｂ）はその平面図である。
【００６２】
表示育苗ポット１００Ｆは、図１の表示育苗ポット１００Ａに比べて、平面視において、表示育苗ポット１００Ｆの全体形状が、四角形ではなく、円形となっている点が異なっている。つまり、側壁部１０２が逆円錐台形のような形状となっている。その他の点は、図１の表示育苗ポット１００Ａと同じである。
【００６３】
この表示育苗ポット１００Ｆによれば、表示育苗ポット形状が円形の場合、すなわち、底部１０１及び側壁部１０２が円形の場合でも、図示したように張り出し部１０５及びガイド形状部１０７を備えているので、図１の表示育苗ポット１００Ａと同様の効果を発揮し、薄い表示板Ｘであっても、まっすぐに培土に差し込みでき、確実に、差し込み部Ｘ１を差し込み溝１０６に差し入れることができる。
【００６４】
＜実施形態７＞
図１０は、本発明の表示育苗ポットの他の実施例（表示育苗ポット１００Ｇ）を示すもので、（ａ）はその正面図、（ｂ）はその平面図、（ｃ）は下方から見た斜視図、（ｄ）は斜め上方から見た斜視図である。
【００６５】
表示育苗ポット１００Ｇは、図１の表示育苗ポット１００Ａに比べて、張り出し部１０５が、側壁部端縁１０２ａから下方に所定間隔空けた部分に、収容空間１０４内へ向けて張り出すようにして形成されている点が異なっている（図１０（ｂ）及び（ｄ）参照）。また、表示育苗ポット１００Ａに比べて、ガイド形状部１０７が張り出し部１０５に設けられているのではなく、側壁部１０２のうち段部１０５ｂよりも上方部分の少なくとも一部を、収容空間１０４内へ向けて凹ませることにより、収容空間１０４側へ突出した円弧形状として形成されている点で異なっている（図１０（ｄ）参照）。ガイド形状部１０７は、その縦方向中心が、差し込み溝１０６の長手方向略中央を通るように形成されている。
【００６６】
図１０に示した表示育苗ポット１００Ｇにおいてもガイド形状部１０７が設けられているため、薄い表示板Ｘであっても、まっすぐに培土に差し込みでき、確実に、差し込み部Ｘ１を差し込み溝１０６に差し入れることができる。
【００６７】
ガイド形状部１０７は、実施形態４と同じように、側壁部１０２を収容空間１０４から外側へ向けて凹ませることにより、収容空間１０４から外側へ向けて突出した円弧形状としてもよい。
【００６８】
＜その他の形態＞
なお、本発明の表示育苗ポットは、上記の実施形態に限定されず、特許請求の範囲に記載された範囲及び実施形態の範囲で、種々の変形例及び組み合わせが可能であり、それらも本発明の技術的範囲に属するものである。
【００６９】
上記実施形態では、ガイド形状部１０７の形状は円弧状のものを例示したが、ガイド形状部１０７の形状はこれに限定されず、例えば、台形状であってもよい。また、ガイド形状部１０７は、必ずしも段部１０５ｂ近傍から側壁部端縁１０２ａ近傍まで延びている必要はない。
【００７０】
また、ガイド形状部１０７の収容空間１０４内へ向けた凹み幅Ｌ１は、必ずしも段部１０５ｂ近傍から側壁部端縁１０２ａ近傍に向かうにつれて次第に小さくなるよう構成されている必要はない。例えば、凹み幅Ｌ１は、上方に向けて同一であってもよく、又は、上方へ向けて次第に大きくなっていてもよい。なお、実施形態４のように、ガイド形状部１０７を収容空間１０４から外側に向けて凹ませた場合にも同様のことがいえる。
【００７１】
また、円弧状のガイド形状部１０７の弦の長さ（円弧の両端点間の距離）Ｌ２は、必ずしも段部１０５ｂ近傍から側壁部端縁１０２ａ近傍へ向かうにつれて次第に小さくなっている必要はない。例えば、円弧状のガイド形状部１０７の弦の長さＬ２は、上方に向けて同一であってもよく、又は、上方へ向けて次第に大きくなっていてもよい。
【００７２】
また、差し込み溝１０６の形状は直線状に限定されない。例えば、差し込み溝１０６の形状は、ガイド形状部１０７の形状に沿った形状としてもよい。上記実施形態のように、ガイド形状部１０７の形状が収容空間１０４側に突出した円弧状の場合、差し込み溝１０６の形状も収容空間１０４側に向けて凸となった円弧状としてもよい。表示板Ｘの差し込み部Ｘ１を差し込み溝１０６に差し込む際には、差し込み部Ｘ１をガイド形状部１０７の形状に屈曲させ、ガイド形状部１０７に沿わせるようにして培土に差し込むため、差し込み溝１０６の形状をガイド形状部１０７の形状に沿った形状とすることによって、差し込み部Ｘ１をより容易に差し込み溝１０６に差し込むことができる。
【００７３】
また、張り出し部１０５とガイド形状部１０７とは、四角形状の全ての側壁部１０２に設けなくともよく、円形状の側壁部１０２に設けられる張り出し部１０５及びガイド形状部１０７の数も４つに限定されない。
【００７４】
＜表示育苗ポットを収納するための育苗トレイの説明＞
次に、表示育苗ポット１００Ａを収納するための育苗トレイ２００について説明する。図１１は、本発明の表示育苗ポット１００Ａを収納するための育苗トレイ２００を示す図であり、（ａ）はその平面図、（ｂ）はその正面図、（ｃ）は斜め上方から見た斜視図である。
【００７５】
図１２は、育苗トレイ２００に表示育苗ポット１００Ａを収納した状態で、その表示育苗ポット１００Ａの上から別の育苗トレイ２００を重ねた状態を示す図であり、（ａ）は斜め上方から見た斜視図、（ｂ）は（ａ）の１２ｂ−１２ｂ矢視断面図である。
【００７６】
図１３は、育苗トレイ２００を縦４個・横６個（合計２４個）連結させた育苗トレイを示す図であり、（ａ）はその平面図、（ｂ）はその正面図である。
【００７７】
図１１（ａ）〜（ｃ）に示すように、育苗トレイ２００は、底部２０１と、底部２０１から徐々に外側に立ち上がる側壁部２０２と、側壁部２０２の上端部に設けられた枠部２０３と、枠部２０３の端縁２０３ａに形成された開口部２０４と、底部２０１、側壁部２０２及び枠部２０３で囲まれ、表示育苗ポット１００Ａを収納するための収納空間２０５と、枠部２０３から下方へ延びる保持部２０６と、を備えている。図１１（ａ）に示すように、平面視において（開口部２０４側から見て）、育苗トレイ２００は、略四角形状をしている。収納空間２０５は、表示育苗ポット１００Ａを収納可能な程度の大きさを有しており、表示育苗ポット１００Ａは、枠部端縁２０３ａに形成された開口部２０４から収納空間２０５内に収納される。
【００７８】
図１１（ａ）に示すように、底部２０１は、略四角形状のプレートによって形成されており、その中央部分に設けられた空隙２０１ａと、空隙２０１ａの周囲に設けられた４つの空隙２０１ｂと、を有している。
【００７９】
図１１（ｃ）に示すように、側壁部２０２は、底部２０１の外周部から枠部２０３に向けて延びる複数の帯状部材２０２ａにより構成されている。なお、図１１（ｃ）では、８本の帯状部材２０２ａで構成された実施形態を示している。本実施形態では、各２本の帯状部材２０２ａが、略四角形状の育苗トレイ２００の角部を挟むようにして、所定間隔空けて配置されている。すなわち、育苗トレイ２００の４つの角部に対して、それぞれ２本ずつ帯状部材２０２ａが配置されている。
【００８０】
側壁部２０２は、各帯状部材２０２ａ間に、空隙２０７を有している。この空隙２０７は、育苗トレイ２００の４つの角部に相当する位置に形成された４つの空隙２０７ａと、育苗トレイ２００の４つの側面に相当する位置に形成された４つの空隙２０７ｂと、から構成されている。
【００８１】
なお、図１１（ｃ）からも明らかなように、本実施形態における空隙２０７ａ及び２０７ｂは、いずれも、底部２０１に形成された空隙２０１ｂとは連続していない。
【００８２】
保持部２０６は、育苗トレイ２００に別の育苗トレイ２００を重ねた場合に、又は、図１２（ａ）に示すように、育苗トレイ２００に表示育苗ポット１００Ａを収納した状態で、その表示育苗ポット１００Ａの上から別の育苗トレイ２００を重ねた場合に、上下の育苗トレイ２００間に隙間を生じさせるために設けられている。すなわち、上段育苗トレイ２００の保持部２０６の下端が、下段育苗トレイ２００の枠部端縁２０３ａに当接することにより、又は、上段育苗トレイ２００の保持部２０６の下端が、下段育苗トレイ２００内に収納された表示育苗トレイ１００Ａの側壁部端縁１０２ａに当接することにより、上下の育苗トレイ２００間に隙間を生じさせ、上段育苗トレイ２００を下段育苗トレイ２００から取り外し易くしている。
【００８３】
図１２（ａ）及び（ｂ）に示すように、本実施形態の育苗トレイ２００は、側壁部２０２に空隙２０７ｂが形成されているため、本発明の表示育苗ポット１００Ａのように、収容空間１０４から外側に向けて張り出した張り出し部１０５を備えた表示育苗ポットを収納する場合でも、張り出し部側壁１０５ａと育苗トレイ２００の側壁部２０２とが干渉することなくなる。
【００８４】
すなわち、側壁部２０２に空隙２０７ｂが形成されていない場合（つまり、側壁部２０２がすべて壁面で構成されている場合）、育苗トレイに表示育苗ポット１００Ａを収納しようとすると、育苗トレイの側壁部内面と育苗ポット１００Ａの張り出し部側壁１０５ａの外面とが接触するおそれがある。そして、表示育苗ポット１００Ａを育苗トレイに収納する際に、育苗トレイの側壁部内面と表示育苗ポット１００Ａの張り出し部側壁１０５ａの外面とが接触することによって、表示育苗ポット１００Ａが育苗トレイの収納空間の途中で止まってしまい、表示育苗ポット１００Ａが収納空間の下方にまで十分収納されないおそれがある。
【００８５】
しかし、育苗トレイ２００の側壁部２０２に空隙２０７ｂを設けることにより、張り出し部１０５が空隙２０７ｂに収まり、育苗トレイ２００の側壁部２０２内面と表示育苗ポット１００Ａの張り出し部側壁１０５ａ外面とが接触することがなくなる。それゆえ、表示育苗ポット１００Ａを収納空間２０５下方まで十分に収納することができる。
【００８６】
なお、図１１及び図１２では、１個の育苗トレイ２００について示しているが、図１３ａ）及び（ｂ）に示すように、育苗トレイ２００を縦横に複数個（例えば、縦４個、横６個の合計２４個）連結させて使用することもできる。
【００８７】
上記説明では、表示育苗ポット１００Ａを収納する場合について説明したが、それ以外の表示育苗ポット１００Ｂ〜Ｇを収納する場合であっても、それらの表示育苗ポットの形状に合わせ育苗トレイ２００の形状等（例えば、空隙２０７の大きさ等）を調整すればよい。例えば、実施形態６に示すような円形の表示育苗ポット１００Ｆを収納する場合には、底部２０１、側壁部２０２及び枠部２０３を円形となるように構成し、張り出し部１０５の位置に合わせて空隙２０７ｂを設けるよう構成すればよい。
【産業上の利用可能性】
【００８８】
本発明の表示育苗ポットは、薄い表示板であっても、まっすぐに培土に差し込みでき、確実に、表示板の差し込み部を差し込み溝に差し入れることが要請される産業分野、特に園芸関連分野に用いることができる。
【符号の説明】
【００８９】
１００Ａ〜Ｇ      表示育苗ポット
１０１            底部
１０２            側壁部
１０２ａ          側壁部端縁
１０３            開口部
１０４            収容空間
１０５            張り出し部
１０５ａ          張り出し部側壁
１０５ｂ          段部
１０６            差し込み溝
１０７            ガイド形状部
１０８            膨出部（角部分）
２００            育苗トレイ
２０１            底部
２０１ａ          空隙
２０１ｂ          空隙
２０２            側壁部
２０３            枠部
２０３ａ          枠部端縁
２０４            開口部
２０５            収納空間
２０６            保持部
２０７            空隙
２０７ａ          空隙
２０７ｂ          空隙
Ｘ                表示板
Ｘ１              差し込み部
Ｌ１              凹み幅
Ｌ２              円弧の弦の長さ
【図１】
2016036287.tif 000003
【図２】
2016036287.tif 000004
【図３】
2016036287.tif 000005
【図４】
2016036287.tif 000006
【図５】
2016036287.tif 000007
【図６】
2016036287.tif 000008
【図７】
2016036287.tif 000009
【図８】
2016036287.tif 000010
【図９】
2016036287.tif 000011
【図１０】
2016036287.tif 000012
【図１１】
2016036287.tif 000013
【図１２】
2016036287.tif 000014
【図１３】
2016036287.tif 000015
【図１４】
2016036287.tif 000016